(57)【要約】【課題】電子部品の製造に用いられるマスクの種類を減らすことができる電子部品の製造方法を提供することである。【解決手段】マザーグリーンシート１１６ａの表面上において、引き出し導体層２０ａと該引き出し導体層２０ａと１８０°異なる方向を向くように引き出し導体層２０ｄを形成する。このとき、マザーグリーンシート１１６ａ，１１６ｄの表面の中心点Ｐに関して点対称な関係となるように引き出し導体層２０ａと引き出し導体層２０ｄとを形成する。同様に、マザーグリーンシート１１６ｂ，１１６ｃの表面上に、コイル導体層１８ａ，１８ｂ及び引き出し導体層２０ｂ，２０ｃを形成する。マザーグリーンシート１１６ｃ，１１６ｄをマザーグリーンシート１１６ａ，１１６ｂに対して中心点Ｐを中心として１８０度回転させた後、マザーグリーンシート１１６ａ〜１１６ｄを積層する。【選択図】図３
2014187106.tif 000002
【特許請求の範囲】
【請求項１】
第１の絶縁体層ないし第２ｎ（ｎは自然数）の絶縁体層を含む複数の絶縁体層が積層されてなる積層体と、該第１の絶縁体層ないし該第２ｎの絶縁体層のそれぞれに設けられている第１の導体層ないし第２ｎの導体層とを備えた電子部品の製造方法であって、
複数の第ｍ（ｍは、１〜ｎの自然数）の導体層及び第ｍのグリーンシートの法線方向から平面視したときに該複数の第ｍの導体層と１８０°異なる方向を向く複数の第２ｎ−ｍ＋１の導体層を、該複数の第ｍの導体層と該複数の第２ｎ−ｍ＋１の導体層とが該第ｍのグリーンシートの所定の点に関して点対称な関係となるように該第ｍのグリーンシートに形成する導体形成工程と、
前記第１のグリーンシートないし前記第ｍのグリーンシートをこの順に積層する第１の積層工程と、
前記第１の積層工程において積層した前記第１のグリーンシートないし前記第ｍのグリーンシートに関して前記所定の点を中心として１８０°回転させた前記第１のグリーンシートないし前記第ｍのグリーンシートを、該第１の積層工程において積層した前記第ｍのグリーンシート上にこの順の逆の順に積層する第２の積層工程と、
を備えていること、
を特徴とする電子部品の製造方法。
【発明の詳細な説明】
【技術分野】
【０００１】
本発明は、電子部品の製造方法に関し、より特定的には、絶縁体層が積層されてなる積層体を備える電子部品の製造方法に関する。
【背景技術】
【０００２】
従来の電子部品の製造方法に関する発明としては、例えば、特許文献１に記載のコモンモードチョークコイルの製造方法が知られている。該コモンモードチョークコイルは、第１コイル導体層、第２コイル導体層、第１引き出し電極層及び第２引き出し電極層を備えている。第１コイル導体層及び第２コイル導体層は渦巻状をなしている。第１引き出し電極層は、第１コイル導体層に接続されている。第２引き出し電極層は、第２コイル導体層に接続されている。また、第１コイル導体層、第２コイル導体層、第１引き出し電極層及び第２引き出し電極層は、異なる絶縁体層上に形成されている。
【０００３】
ところで、前記コモンモードチョークコイルを作製する場合には、第１コイル導体層、第２コイル導体層、第１引き出し電極層及び第２引き出し電極層が形成された４種類の絶縁体層を準備し、これらを積層する必要がある。そのため、該コモンモードチョークコイルの製造方法では、第１コイル導体層、第２コイル導体層、第１引き出し電極層及び第２引き出し電極層を絶縁体層に形成するための４種類のマスクが必要となる。このように、多くのマスクが必要となると、コモンモードチョークコイルの製造コストが高騰する。
【先行技術文献】
【特許文献】
【０００４】
【特許文献１】特開２００５−１１６６４７号公報
【発明の概要】
【発明が解決しようとする課題】
【０００５】
そこで、本発明の目的は、電子部品の製造に用いられるマスクの種類を減らすことができる電子部品の製造方法を提供することである。
【課題を解決するための手段】
【０００６】
本発明の一形態に係る電子部品の製造方法は、第１の絶縁体層ないし第２ｎ（ｎは自然数）の絶縁体層を含む複数の絶縁体層が積層されてなる積層体と、該第１の絶縁体層ないし該第２ｎの絶縁体層のそれぞれに設けられている第１の導体層ないし第２ｎの導体層とを備えた電子部品の製造方法であって、複数の第ｍ（ｍは、１〜ｎの自然数）の導体層及び第ｍのグリーンシートの法線方向から平面視したときに該複数の第ｍの導体層と１８０°異なる方向を向く複数の第２ｎ−ｍ＋１の導体層を、該複数の第ｍの導体層と該複数の第２ｎ−ｍ＋１の導体層とが該第ｍのグリーンシートの所定の点に関して点対称な関係となるように該第ｍのグリーンシートに形成する導体形成工程と、前記第１のグリーンシートないし前記第ｍのグリーンシートをこの順に積層する第１の積層工程と、前記第１の積層工程において積層した前記第１のグリーンシートないし前記第ｍのグリーンシートに関して前記所定の点を中心として１８０°回転させた前記第１のグリーンシートないし前記第ｍのグリーンシートを、該第１の積層工程において積層した前記第ｍのグリーンシート上にこの順の逆の順に積層する第２の積層工程と、を備えていること、を特徴とする。
【発明の効果】
【０００７】
本発明によれば、電子部品の製造に用いられるマスクの種類を減らすことができる。
【図面の簡単な説明】
【０００８】
【図１】第１の実施形態に係る電子部品の製造方法において製造される電子部品の外観斜視図である。
【図２】図１の電子部品の積層体の分解斜視図である。
【図３】マザーグリーンシートが積層される様子を示した斜視図である。
【図４】電子部品の製造方法において用いられるマザーグリーンシートを平面視した図である。
【図５】電子部品の製造方法において用いられるマザーグリーンシートを平面視した図である。
【図６】電子部品の製造方法において用いられるマザーグリーンシートを平面視した図である。
【図７】電子部品の製造方法において用いられるマザーグリーンシートを平面視した図である。
【図８】第１のパターンの積層体の断面構造図である。
【図９】第２のパターンの積層体の断面構造図である。
【図１０】第２の実施形態に係る電子部品の製造方法において製造される電子部品の外観斜視図である。
【図１１】図１０の電子部品の積層体の分解斜視図である。
【図１２】マザーグリーンシートが積層される様子を示した斜視図である。
【図１３】電子部品の製造方法において用いられるマザーグリーンシートを平面視した図である。
【図１４】電子部品の製造方法において用いられるマザーグリーンシートを平面視した図である。
【図１５】電子部品の製造方法において用いられるマザーグリーンシートを平面視した図である。
【図１６】電子部品の製造方法において用いられるマザーグリーンシートを平面視した図である。
【発明を実施するための形態】
【０００９】
（第１の実施形態）
以下に、本発明の第１の実施形態に係る電子部品の製造方法について説明する。図１は、第１の実施形態に係る電子部品の製造方法において製造される電子部品１０の外観斜視図である。図２は、図１の電子部品１０の積層体１２の分解斜視図である。以下では、電子部品１０の積層方向をｚ軸方向と定義し、ｚ軸方向から電子部品１０を平面視したときに２辺が延在している方向をｘ軸方向及びｙ軸方向と定義する。ｘ軸方向、ｙ軸方向及びｚ軸方向は互いに直交している。
【００１０】
電子部品１０は、図１及び図２に示すように、積層体１２、外部電極１４ａ〜１４ｄ、コイル導体層１８ａ，１８ｂ、引き出し導体層２０ａ〜２０ｄ及びビアホール導体ｂ１，ｂ２を備えている。電子部品１０は、例えば、コモンモードチョークコイルとして用いられる。なお、コモンモードチョークコイルは、一般的な電子部品であるので、詳細な説明については省略する。
【００１１】
積層体１２は、直方体状をなしており、絶縁体層１６ａ〜１６ｊがｚ軸方向の正方向側から負方向側へとこの順に積層されて構成されている。絶縁体層１６ａ〜１６ｃ，１６ｇ〜１６ｊは、図２に示すように、正方形状をなしており、例えば、Ｎｉ−Ｃｕ−Ｚｎ系の磁性フェライトにより作製されている。絶縁体層１６ｄ〜１６ｆは、図２に示すように、正方形状をなしており、例えば、Ｃｕ−Ｚｎ系の非磁性フェライトにより作製されている。以下では、絶縁体層１６ａ〜１６ｊのｚ軸方向の正方向側の面を表面と呼び、絶縁体層１６ａ〜１６ｊのｚ軸方向の負方向側の面を裏面と呼ぶ。
【００１２】
コイル導体層１８ａは、絶縁体層１６ｅの表面上に設けられており、時計回り方向に周回しながら中心に向かう渦巻状をなしている。コイル導体層１８ｂは、絶縁体層１６ｆの表面上に設けられており、反時計回り方向に周回しながら中心に向かう渦巻状をなしている。コイル導体層１８ａ，１８ｂは、ｚ軸方向から平面視したときに、重なり合っている。これにより、コイル導体層１８ａ，１８ｂは互いに磁界結合している。
【００１３】
引き出し導体層２０ａは、絶縁体層１６ｄの表面上に設けられており、絶縁体層１６ｄの中央付近から絶縁体層１６ｄのｙ軸方向の正方向側の辺に引き出されている。引き出し導体層２０ａのｙ軸方向の負方向側の端部は、ｚ軸方向から平面視したときに、コイル導体層１８ａの内側の端部と重なっている。引き出し導体層２０ａのｙ軸方向の正方向側の端部は、絶縁体層１６ｄのｙ軸方向の正方向側の辺の中央よりもｘ軸方向の負方向側に位置している。
【００１４】
引き出し導体層２０ｂは、絶縁体層１６ｅの表面上に設けられており、コイル導体層１８ａの外側の端部から絶縁体層１６ｅのｙ軸方向の負方向側の辺に引き出されている。引き出し導体層２０ｂのｙ軸方向の負方向側の端部は、絶縁体層１６ｅのｙ軸方向の負方向側の辺の中央よりもｘ軸方向の負方向側に位置している。
【００１５】
引き出し導体層２０ｃは、絶縁体層１６ｆの表面上に設けられており、コイル導体層１８ｂの外側の端部から絶縁体層１６ｆのｙ軸方向の負方向側の辺に引き出されている。引き出し導体層２０ｃのｙ軸方向の負方向側の端部は、絶縁体層１６ｆのｙ軸方向の負方向側の辺の中央よりもｘ軸方向の正方向側に位置している。
【００１６】
引き出し導体層２０ｄは、絶縁体層１６ｇの表面上に設けられており、絶縁体層１６ｇの中央付近から絶縁体層１６ｇのｙ軸方向の正方向側の辺に引き出されている。引き出し導体層２０ｄのｙ軸方向の負方向側の端部は、ｚ軸方向から平面視したときに、コイル導体層１８ｂの内側の端部と重なっている。引き出し導体層２０ｄのｙ軸方向の正方向側の端部は、絶縁体層１６ｇのｙ軸方向の正方向側の辺の中央よりもｘ軸方向の正方向側に位置している。
【００１７】
ビアホール導体ｂ１は、絶縁体層１６ｄをｚ軸方向に貫通しており、引き出し導体層２０ａのｙ軸方向の負方向側の端部とコイル導体層１８ａの内側の端部とを接続している。ビアホール導体ｂ２は、絶縁体層１６ｆをｚ軸方向に貫通しており、引き出し導体層２０ｄのｙ軸方向の負方向側の端部とコイル導体層１８ｂの内側の端部とを接続している。
【００１８】
外部電極１４ａ，１４ｄは、積層体１２のｙ軸方向の正方向側の側面においてｚ軸方向に延在している。また、外部電極１４ａ，１４ｄのｚ軸方向の両端は、積層体１２のｚ軸方向の正方向側の上面及びｚ軸方向の負方向側の底面に折り返されている。外部電極１４ａは、引き出し導体層２０ａに接続されている。外部電極１４ｄは、引き出し導体層２０ｄに接続されている。
【００１９】
外部電極１４ｂ，１４ｃは、積層体１２のｙ軸方向の負方向側の側面においてｚ軸方向に延在している。また、外部電極１４ｂ，１４ｃのｚ軸方向のｚ軸方向の両端は、積層体１２のｚ軸方向の正方向側の上面及びｚ軸方向の負方向側の底面に折り返されている。外部電極１４ｂは、引き出し導体層２０ｂに接続されている。外部電極１４ｃは、引き出し導体層２０ｃに接続されている。
【００２０】
以上のように構成された電子部品１０の製造方法について図面を参照しながら説明する。図３は、マザーグリーンシート１１６ａ〜１１６ｄが積層される様子を示した斜視図である。図４は、電子部品１０の製造方法において用いられるマザーグリーンシート１１６ａを平面視した図である。図５は、電子部品１０の製造方法において用いられるマザーグリーンシート１１６ｂを平面視した図である。図６は、電子部品１０の製造方法において用いられるマザーグリーンシート１１６ｃを平面視した図である。図７は、電子部品１０の製造方法において用いられるマザーグリーンシート１１６ｄを平面視した図である。
【００２１】
電子部品１０の製造方法では、図３に示すように、マザーグリーンシート１１６ａ〜１１６ｄをｚ軸方向の正方向側から負方向側へとこの順に積層する。なお、マザーグリーンシート１１６ａ〜１１６ｄよりもｚ軸方向の正方向側及び負方向側にもマザーグリーンシート（図示せず）が積層されるが、以下ではその説明を省略する。
【００２２】
まず、マザーグリーンシート１１６ａ〜１１６ｄを準備する。マザーグリーンシート１１６ａ，１１６ｄは、絶縁体層１６ｄ，１６ｇが６行６列の行列状に配置された未焼成のシートである。マザーグリーンシート１１６ｂ，１１６ｃは、絶縁体層１６ｅ，１６ｆが６行６列の行列状に配置された未焼成のシートである。
【００２３】
次に、マザーグリーンシート１１６ａにおいて、ビアホール導体ｂ１，ｂ１１が形成される位置にレーザービームを照射して、ビアホールを形成する。ビアホール導体ｂ１１は、引き出し導体層２０ｄのｙ軸方向の正方向側の端部とコイル導体層１８ｂの内側の端部とを接続する。更に、形成したビアホールに対して導電性ペーストを充填することによって、ビアホール導体ｂ１，ｂ１１を形成する。
【００２４】
次に、マザーグリーンシート１１６ｃにおいて、ビアホール導体ｂ２，ｂ１２が形成される位置にレーザービームを照射して、ビアホールを形成する。ビアホール導体ｂ１２は、コイル導体層１８ａの内側の端部と引き出し導体層２０ａのｙ軸方向の負方向側の端部とを接続する。更に、形成したビアホールに対して導電性ペーストを充填することによって、ビアホール導体ｂ２，ｂ１２を形成する。
【００２５】
次に、図４に示すように、マザーグリーンシート１１６ａ（第１のグリーンシート）の表面上に複数の引き出し導体層２０ａ（第１の導体層）及び複数の引き出し導体層２０ｄ（第４の導体層）を行列状に並べて形成する。より詳細には、図４に示す引き出し導体層２０ａは、マザーグリーンシート１１６ａの表面上において、ｚ軸方向から平面視したときに、図２に示す引き出し導体層２０ａと同じ方向を向くように形成されている。一方、図４に示す引き出し導体層２０ｄは、マザーグリーンシート１１６ａの表面上において、ｚ軸方向から平面視したときに、図２に示す引き出し導体層２０ｄと１８０°異なる方向を向くように形成されている。すなわち、マザーグリーンシート１１６ａにおいて、引き出し導体層２０ｄは、ｚ軸方向から平面視したときに、引き出し導体層２０ａと１８０°異なる方向を向いている。
【００２６】
また、引き出し導体層２０ａと引き出し導体層２０ｄとは、マザーグリーンシート１１６ａの表面の中心点Ｐに関して点対称な関係となるように形成されている。本実施形態では、１行目（ｙ軸方向の最も正方向側の行）、３行目（ｙ軸方向の正方向側から３番目の行）及び５行目（ｙ軸方向の正方向側から５番目の行）にはそれぞれ、６つの引き出し導体層２０ａが並んでいる。２行目（ｙ軸方向の正方向側の２番目の行）、４行目（ｙ軸方向の正方向側から４番目の行）及び６行目（ｙ軸方向の正方向側から６番目の行）にはそれぞれ、６つの引き出し導体層２０ｄが並んでいる。なお、引き出し導体層２０ａ，２０ｄの形成は、マスクを介してスクリーン印刷によって行われてもよいし、マスクを用いたフォトリソグラフィによって行われてもよい。
【００２７】
次に、図５に示すように、マザーグリーンシート１１６ｂ（第２のグリーンシート）の表面上に複数のコイル導体層１８ａ及び複数の引き出し導体層２０ｂ（第２の導体層）並びに複数のコイル導体層１８ｂ及び複数の引き出し導体層２０ｃ（第３の導体層）を行列状に並べて形成する。より詳細には、図５に示すコイル導体層１８ａ及び引き出し導体層２０ｂは、マザーグリーンシート１１６ｂの表面上において、ｚ軸方向から平面視したときに、図２に示すコイル導体層１８ａ及び引き出し導体層２０ｂと同じ方向を向くように形成されている。一方、図５に示すコイル導体層１８ｂ及び引き出し導体層２０ｃは、マザーグリーンシート１１６ｂの表面上において、ｚ軸方向から平面視したときに、図２に示すコイル導体層１８ｂ及び引き出し導体層２０ｃと１８０°異なる方向を向くように形成されている。すなわち、マザーグリーンシート１１６ｂにおいて、コイル導体層１８ｂ及び引き出し導体層２０ｃは、ｚ軸方向から平面視したときに、コイル導体層１８ａ及び引き出し導体層２０ｂと１８０°異なる方向を向いている。
【００２８】
また、コイル導体層１８ａ及び引き出し導体層２０ｂとコイル導体層１８ｂ及び引き出し導体層２０ｃとは、マザーグリーンシート１１６ｂの表面の中心点Ｐに関して点対称な関係となるように形成されている。本実施形態では、１行目（ｙ軸方向の最も正方向側の行）、３行目（ｙ軸方向の正方向側から３番目の行）及び５行目（ｙ軸方向の正方向側から５番目の行）にはそれぞれ、６つのコイル導体層１８ａ及び引き出し導体層２０ｂが並んでいる。２行目（ｙ軸方向の正方向側の２番目の行）、４行目（ｙ軸方向の正方向側から４番目の行）及び６行目（ｙ軸方向の正方向側から６番目の行）にはそれぞれ、６つのコイル導体層１８ｂ及び引き出し導体層２０ｃが並んでいる。なお、コイル導体層１８ａ，１８ｂ及び引き出し導体層２０ｂ，２０ｃの形成は、マスクを介してスクリーン印刷によって行われてもよいし、マスクを用いたフォトリソグラフィによって行われてもよい。
【００２９】
次に、図６に示すように、マザーグリーンシート１１６ｃ（第３のグリーンシート）の表面上に複数のコイル導体層１８ａ及び複数の引き出し導体層２０ｂ（第２の導体層）及び複数のコイル導体層１８ｂ及び複数の引き出し導体層２０ｃ（第３の導体層）を行列状に並べて形成する。なお、コイル導体層１８ａ，１８ｂ及び引き出し導体層２０ｂ，２０ｃのマザーグリーンシート１１６ｃに対する形成工程は、コイル導体層１８ａ，１８ｂ及び引き出し導体層２０ｂ，２０ｃのマザーグリーンシート１１６ｂに対する形成工程と同じであるので説明を省略する。
【００３０】
次に、図７に示すように、マザーグリーンシート１１６ｄ（第４のグリーンシート）の表面上に複数の引き出し導体層２０ａ（第１の導体層）及び複数の引き出し導体層２０ｄ（第４の導体層）を行列状に並べて形成する。なお、引き出し導体層２０ａ，２０ｄのマザーグリーンシート１１６ｄに対する形成工程は、引き出し導体層２０ａ，２０ｄのマザーグリーンシート１１６ａに対する形成工程と同じであるので説明を省略する。
【００３１】
次に、マザーグリーンシート１１６ａ〜１１６ｄをｚ軸方向の正方向側から負方向側へとこの順に積層する。以下に、マザーグリーンシート１１６ａ〜１１６ｄの積層工程について説明する。
【００３２】
具体的には、表面が下側を向くようにマザーグリーンシート１１６ａをセットする。そして、表面が下側を向くようにマザーグリーンシート１１６ｂをマザーグリーンシート１１６ａ上に積層する。
【００３３】
次に、表面が下側を向くようにマザーグリーンシート１１６ｃをマザーグリーンシート１１６ｂ上に積層する。この際、図６に示す状態のマザーグリーンシート１１６ｃを、中心点Ｐを中心として１８０°だけ回転させてマザーグリーンシート１１６ｂ上に積層する。すなわち、マザーグリーンシート１１６ｂに関して中心点Ｐを中心として１８０°回転させたマザーグリーンシート１１６ｃをマザーグリーンシート１１６ｂ上に積層する。
【００３４】
次に、表面が下側を向くようにマザーグリーンシート１１６ｄをマザーグリーンシート１１６ｃ上に積層する。この際、図７に示す状態のマザーグリーンシート１１６ｄを、中心点Ｐを中心として１８０°だけ回転させてマザーグリーンシート１１６ｃ上に積層する。すなわち、マザーグリーンシート１１６ａに関して中心点Ｐを中心として１８０°回転させたマザーグリーンシート１１６ｄをマザーグリーンシート１１６ｃ上に積層する。なお、マザーグリーンシート１１６ａのｚ軸方向の正方向側には、絶縁体層１６ａ〜１６ｃとなる３層のマザーグリーンシートが積層される。また、マザーグリーンシート１１６ｄのｚ軸方向の負方向側には、絶縁体層１６ｈ〜１６ｊとなる３層のマザーグリーンシートが積層される。ただし、これらのマザーグリーンシートの積層工程については、一般的な工程であるので説明を省略する。積層工程の最後には、マザーグリーンシート１１６ａ〜１１６ｄにより構成されるマザー積層体に対して静水圧プレスを施す。
【００３５】
次に、マザー積層体をカット刃により所定寸法の積層体１２にカットする。その後、未焼成の積層体１２に、脱バインダー処理及び焼成を施す。
【００３６】
次に、外部電極１４ａ〜１４ｄを形成する。まず、Ａｇを主成分とする導電性材料からなる電極ペーストを積層体１２の表面に塗布する。次に、塗布した電極ペーストを約８００℃の温度で１時間の条件で焼き付ける。これにより、外部電極１４ａ〜１４ｄの下地電極が形成される。
【００３７】
最後に、下地電極の表面にＮｉ／Ｓｎめっきを施す。これにより、外部電極１４ａ〜１４ｄが形成される。以上の工程により、電子部品１０が完成する。
【００３８】
なお、本実施形態に係る電子部品１０の製造方法では、引き出し導体層２０ａ（第１の導体層）、コイル導体層１８ａ及び引き出し導体層２０ｂ（第２の導体層）、コイル導体層１８ｂ及び引き出し導体層２０ｃ（第３の導体層）及び引き出し導体層２０ｄ（第４の導体層）の４層の導体層により構成される電子部品１０の製造方法について説明した。しかしながら、電子部品１０の製造方法は、２ｎ（ｎは自然数）層の導体層を備えた電子部品の製造方法に対しても適用可能である。電子部品において、第１の導体層ないし第２ｎの導体層はそれぞれ、第１の絶縁体層ないし第２ｎの絶縁体層に設けられている。
【００３９】
まず、複数の第ｍ（ｍは、１〜ｎの自然数）の導体層及び第ｍのグリーンシートの法線方向から平面視したときに該複数の第ｍの導体層と１８０°異なる方向を向く複数の第２ｎ−ｍ＋１の導体層を、複数の第ｍの導体層と複数の第２ｎ−ｍ＋１の導体層とが第ｍのグリーンシートの所定の点に関して点対称な関係となるように第ｍのグリーンシートに形成する。
【００４０】
次に、第１のグリーンシートないし第ｍのグリーンシートをこの順に積層する。更に、積層した第１のグリーンシートないし第ｍのグリーンシートに関して中心点を中心として１８０°回転させた第１のグリーンシートないし第ｍのグリーンシートを、積層した第ｍのグリーンシート上にこの順の逆の順に積層する。これにより、２ｎ層の導体層を備えた電子部品が完成する。
【００４１】
（効果）
本実施形態に係る電子部品１０の製造方法によれば、電子部品１０の製造に用いられるマスクの種類を減らすことができる。より詳細には、マザーグリーンシート１１６ａ，１１６ｄ（第１のグリーンシート及び第４のグリーンシート）の表面上において、ｚ軸方向から平面視したときに、図２に示す引き出し導体層２０ａ（第１の導体層）と同じ方向を向くように図４に示す引き出し導体層２０ａ（第１の導体層）を形成する。また、マザーグリーンシート１１６ａ，１１６ｄ（第１のグリーンシート及び第４のグリーンシート）の表面上において、ｚ軸方向から平面視したときに、図２に示す引き出し導体層２０ｄ（第４の導体層）と１８０°異なる方向を向くように図４に示す引き出し導体層２０ｄ（第４の導体層）を形成する。このとき、マザーグリーンシート１１６ａ，１１６ｄ（第１のグリーンシート及び第４のグリーンシート）の表面の中心点Ｐに関して点対称な関係となるように引き出し導体層２０ａ（第１の導体層）と引き出し導体層２０ｄ（第４の導体層）とを形成する。同様に、マザーグリーンシート１１６ｂ，１１６ｃ（第３のグリーンシート及び第４のグリーンシート）の表面上に、コイル導体層１８ａ及び引き出し導体層２０ｂ（第３の導体層）並びにコイル導体層１８ｂ及び引き出し導体層２０ｃ（第４の導体層）を形成する。そして、マザーグリーンシート１１６ｃ，１１６ｄ（第３のグリーンシート及び第４のグリーンシート）をマザーグリーンシート１１６ａ，１１６ｂ（第１のグリーンシート及び第２のグリーンシート）に対して中心点Ｐを中心として１８０度回転させた後、マザーグリーンシート１１６ａ〜１１６ｄを積層する。これにより、以下に説明する第１のパターン及び第２のパターンの２種類の積層体１２を得ることができる。図８は、第１のパターンの積層体１２の断面構造図である。図９は、第２のパターンの積層体１２の断面構造図である。以下に、第１のパターン及び第２のパターンの積層体１２の第１の導体層（引き出し導体層２０ａ）、第２の導体層（コイル導体層１８ａ及び引き出し導体層２０ｂ）、第３の導体層（コイル導体層１８ｂ及び引き出し導体層２０ｃ）及び第４の導体層（引き出し導体層２０ｄ）の積層順を示す。
【００４２】
第１のパターン：第１の導体層、第２の導体層、第３の導体層、第４の導体層
第２のパターン：第４の導体層、第３の導体層、第２の導体層、第１の導体層
【００４３】
以上の２種類の積層体１２は、図８及び図９に示すように、ビアホール導体の方向が異なっているものの、実質的に同じ内部構造を有している。すなわち、マザーグリーンシート１１６ａ〜１１６ｄが積層されて得られるマザーグリーンシートからは、実質的に同じ構造を有する積層体１２が得られる。よって、電子部品１０の製造方法によれば、２種類のマスクによって、４層の導体層からなる電子部品１０を製造することができ、電子部品１０の製造に用いられるマスクの種類を減らすことができる。
【００４４】
また、本実施形態に係る電子部品１０の製造方法では、マザーグリーンシート１１６ａ〜１１６ｄにおいて無駄な領域が生じることを抑制できる。引き出し導体層２０ａと引き出し導体層２０ｄとは、マザーグリーンシート１１６ａ，１１６ｄの表面の中心点Ｐに関して点対称な関係となるように形成されている。よって、マザーグリーンシート１１６ｄをマザーグリーンシート１１６ａに関して中心点Ｐを中心として１８０°回転させることにより、マザーグリーンシート１１６ａの全ての引き出し導体層２０ａがマザーグリーンシート１１６ｄの引き出し導体層２０ｄと重なるようになり、マザーグリーンシート１１６ａの全ての引き出し導体層２０ｄがマザーグリーンシート１１６ｄの引き出し導体層２０ａと重なるようになる。また、マザーグリーンシート１１６ｂ，１１６ｃの関係についても、マザーグリーンシート１１６ａ，１１６ｄと同じ関係が言える。よって、本実施形態に係る電子部品１０の製造方法では、積層体１２の形成に用いられずに破棄される部分が少なくて済む。
【００４５】
なお、本実施形態に係る電子部品１０の製造方法において、引き出し導体層２０ａと引き出し導体層２０ｄとは、マザーグリーンシート１１６ａ，１１６ｄの表面の中心点Ｐに関して点対称な関係となるように形成されていればよい。同様に、コイル導体層１８ａ及び引き出し導体層２０ｂとコイル導体層１８ｂ及び引き出し導体層２０ｃとは、マザーグリーンシート１１６ｂ，１１６ｃの表面の中心点Ｐに関して点対称な関係となるように形成されていればよい。よって、引き出し導体層２０ａ〜２０ｄ及びコイル導体層１８ａ，１８ｂの配置は、図４ないし図６に示した配置に限らない。例えば、マザーグリーンシート１１６ａにおいて、ｙ軸方向の正方向側の３行に引き出し導体層２０ａが形成され、ｙ軸方向の負方向側の３行に引き出し導体層２０ｄが形成されてもよい。
【００４６】
（第２の実施形態）
以下に、本発明の第２の実施形態に係る電子部品の製造方法について説明する。図１０は、第２の実施形態に係る電子部品の製造方法において製造される電子部品１０ａの外観斜視図である。図１１は、図１０の電子部品１０ａの積層体１２の分解斜視図である。なお、電子部品１０ａの構成の参照符号は、電子部品１０と同じ構成については、電子部品１０と同じ参照符号を付した。
【００４７】
電子部品１０ａは、図１０及び図１１に示すように、コイル導体層１８ａ，１８ｂの形状において、電子部品１０と相違する。より詳細には、電子部品１０のコイル導体層１８ａ，１８ｂは、円形状をなしているのに対して、電子部品１０ａのコイル導体層１８ａ，１８ｂは、楕円形状をなしている。電子部品１０ａのその他の構成は、電子部品１０と同じであるので説明を省略する。
【００４８】
次に電子部品１０ａの製造方法について図面を参照しながら説明する。図１２は、マザーグリーンシート１１６ａ〜１１６ｄが積層される様子を示した斜視図である。図１３は、電子部品１０ａの製造方法において用いられるマザーグリーンシート１１６ｄを平面視した図である。図１４は、電子部品１０ａの製造方法において用いられるマザーグリーンシート１１６ｅを平面視した図である。図１５は、電子部品１０ａの製造方法において用いられるマザーグリーンシート１１６ｇを平面視した図である。図１６は、電子部品１０ａの製造方法において用いられるマザーグリーンシート１１６ｇを平面視した図である。
【００４９】
電子部品１０ａの製造方法では、図１２に示すように、マザーグリーンシート１１６ａ〜１１６ｄをｚ軸方向の正方向側から負方向側へとこの順に積層する。なお、マザーグリーンシート１１６ａ〜１１６ｄよりもｚ軸方向の正方向側及び負方向側にもマザーグリーンシート（図示せず）が積層されるが、以下ではその説明を省略する。
【００５０】
まず、マザーグリーンシート１１６ｄ〜１１６ｇを準備する。マザーグリーンシート１１６ｄ，１１６ｇは、絶縁体層１６ｄ，１６'ｄ，１６ｇ，１６'ｇが４行４列の行列状に配置された未焼成のシートである。マザーグリーンシート１１６ｅ，１１６ｆは、絶縁体層１６ｅ，１６'ｅ，１６ｆ，１６'ｆが４行４列の行列状に配置された未焼成のシートである。
【００５１】
次に、マザーグリーンシート１１６ａにおいて、ビアホール導体ｂ１，ｂ'１，ｂ１１，ｂ'１１が形成される位置にレーザービームを照射して、ビアホールを形成する。ビアホール導体ｂ'１は、後述するコイル導体層２０'ａのｙ軸方向の正方向側の端部とコイル導体１８'ａの内側の端部とを接続する。ビアホール導体ｂ１１は、引き出し導体層２０ｄのｙ軸方向の正方向側の端部とコイル導体層１８ｂの内側の端部とを接続する。ビアホール導体ｂ'１１は、後述する引き出し導体層２０'ｄのｙ軸方向の負方向側の端部とコイル導体層１８'ｂの内側の端部とを接続する。更に、形成したビアホールに対して導電性ペーストを充填することによって、ビアホール導体ｂ１，ｂ'１，ｂ１１，ｂ'１１を形成する。
【００５２】
次に、マザーグリーンシート１１６ｃにおいて、ビアホール導体ｂ２，ｂ'２，ｂ１２，ｂ'１２が形成される位置にレーザービームを照射して、ビアホールを形成する。ビアホール導体ｂ'２は、後述するコイル導体層１８'ｂの内側の端部と引き出し導体層２０'ｄのｙ軸方向の負方向側の端部とを接続する。ビアホール導体ｂ１２は、コイル導体層１８ａの内側の端部と引き出し導体層２０ａのｙ軸方向の負方向側の端部とを接続する。ビアホール導体ｂ'１２は、コイル導体層１８'ａの内側の端部と引き出し導体層２０'ａのｙ軸方向の正方向側の端部とを接続する。更に、形成したビアホールに対して導電性ペーストを充填することによって、ビアホール導体ｂ２，ｂ'２，ｂ１２，ｂ'１２を形成する。
【００５３】
次に、図１３に示すように、マザーグリーンシート１１６ａ（第１のグリーンシート）の表面上に複数の引き出し導体層２０ａ，２０'ａ（第１の導体層）及び複数の引き出し導体層２０ｄ，２０'ｄ（第４の導体層）を行列状に並べて形成する。より詳細には、図１３に示す引き出し導体層２０ａは、マザーグリーンシート１１６ａの表面上において、ｚ軸方向から平面視したときに、図１１に示す引き出し導体層２０ａと同じ方向を向くように形成されている。一方、図１３に示す引き出し導体層２０ｄは、マザーグリーンシート１１６ａの表面上において、ｚ軸方向から平面視したときに、図１１に示す引き出し導体層２０ｄと１８０°異なる方向を向くように形成されている。すなわち、マザーグリーンシート１１６ａにおいて、引き出し導体層２０ｄは、ｚ軸方向から平面視したときに、引き出し導体層２０ａと１８０°異なる方向を向いている。
【００５４】
また、引き出し導体層２０'ａは、引き出し導体層２０ａとｘ軸に平行な直線に関して線対称な構造を有している。引き出し導体層２０'ｄは、引き出し導体層２０ｄとｘ軸に平行な直線に関して線対称な構造を有している。
【００５５】
また、引き出し導体層２０ａと引き出し導体層２０ｄとは、マザーグリーンシート１１６ａの表面の中心点Ｐに関して点対称な関係となるように形成されている。本実施形態では、１行目（ｙ軸方向の最も正方向側の行）には、４つの引き出し導体層２０ａが並んでいる。４行目（ｙ軸方向の最も正方向側の行）には、４つの引き出し導体層２０ｄが並んでいる。
【００５６】
引き出し導体層２０'ａと引き出し導体層２０'ｄとは、マザーグリーンシート１１６ａの表面の中心点Ｐに関して点対称な関係となるように形成されている。２行目（ｙ軸方向の最も正方向側の行）には、４つの引き出し導体層２０'ａが並んでいる。３行目（ｙ軸方向の最も正方向側の行）には、４つの引き出し導体層２０'ｄが並んでいる。なお、引き出し導体層２０ａ，２０'ａ，２０ｄ，２０'ｄの形成は、マスクを介してスクリーン印刷によって行われてもよいし、マスクを用いたフォトリソグラフィによって行われてもよい。
【００５７】
次に、図１４に示すように、マザーグリーンシート１１６ｂ（第２のグリーンシート）の表面上に複数のコイル導体層１８ａ，１８'ａ及び複数の引き出し導体層２０ｂ，２０'ｂ（第２の導体層）並びに複数のコイル導体層１８ｂ，１８'ｂ及び複数の引き出し導体層２０ｃ，２０'ｃ（第３の導体層）を行列状に並べて形成する。より詳細には、図１４に示すコイル導体層１８ａ，１８'ａ及び引き出し導体層２０ｂ，２０'ｂは、マザーグリーンシート１１６ｂの表面上において、ｚ軸方向から平面視したときに、図１１に示すコイル導体層１８ａ及び引き出し導体層２０ｂと同じ方向を向くように形成されている。一方、図１１に示すコイル導体層１８ｂ及び引き出し導体層２０ｃは、マザーグリーンシート１１６ｂの表面上において、ｚ軸方向から平面視したときに、図１２に示すコイル導体層１８ｂ及び引き出し導体層２０ｃと１８０°異なる方向を向くように形成されている。すなわち、マザーグリーンシート１１６ｂにおいて、コイル導体層１８ｂ及び引き出し導体層２０ｃは、ｚ軸方向から平面視したときに、コイル導体層１８ａ及び引き出し導体層２０ｂと１８０°異なる方向を向いている。
【００５８】
また、コイル導体層１８'ａ及び引き出し導体層２０'ａは、コイル導体層１８ａ及び引き出し導体層２０ａとｘ軸に平行な直線に関して線対称な構造を有している。コイル導体層１８ｂ及び引き出し導体層２０'ｄは、コイル導体層１８ｂ及び引き出し導体層２０ｄとｘ軸に関して線対称な構造を有している。
【００５９】
コイル導体層１８ａ及び引き出し導体層２０ｂとコイル導体層１８ｂ及び引き出し導体層２０ｃとは、マザーグリーンシート１１６ｂの表面の中心点Ｐに関して点対称な関係となるように形成されている。本実施形態では、１行目（ｙ軸方向の最も正方向側の行）には、４つのコイル導体層１８ａ及び引き出し導体層２０ｂが並んでいる。４行目（ｙ軸方向の正方向側の２番目の行）には、４つのコイル導体層１８ｂ及び引き出し導体層２０ｃが並んでいる。
【００６０】
コイル導体層１８'ａ及び引き出し導体層２０'ｂとコイル導体層１８'ｂ及び引き出し導体層２０'ｃとは、マザーグリーンシート１１６ｂの表面の中心点Ｐに関して点対称な関係となるように形成されている。本実施形態では、２行目（ｙ軸方向の最も正方向側の行）には、４つのコイル導体層１８'ａ及び引き出し導体層２０'ｂが並んでいる。３行目（ｙ軸方向の正方向側の２番目の行）には、４つのコイル導体層１８'ｂ及び引き出し導体層２０'ｃが並んでいる。なお、コイル導体層１８ａ，１８'ａ，１８ｂ，１８'ｂ及び引き出し導体層２０ｂ，２０'ｂ，２０ｃ，２０'ｃの形成は、マスクを介してスクリーン印刷によって行われてもよいし、マスクを用いたフォトリソグラフィによって行われてもよい。
【００６１】
次に、図１５に示すように、マザーグリーンシート１１６ｃ（第３のグリーンシート）の表面上に複数のコイル導体層１８ａ，１８'ａ及び複数の引き出し導体層２０ｂ，２０'ｂ（第２の導体層）及び複数のコイル導体層１８ｂ，１８'ｂ及び複数の引き出し導体層２０ｃ，２０'ｃ（第３の導体層）を行列状に並べて形成する。なお、コイル導体層１８ａ，１８'ａ，１８ｂ，１８'ｂ及び引き出し導体層２０ｂ，２０'ｂ，２０ｃ，２０'ｃのマザーグリーンシート１１６ｃに対する形成工程は、コイル導体層１８ａ，１８'ａ，１８ｂ，１８'ｂ及び引き出し導体層２０ｂ，２０'ｂ，２０ｃ，２０'ｃのマザーグリーンシート１１６ｂに対する形成工程と同じであるので説明を省略する。
【００６２】
次に、図１６に示すように、マザーグリーンシート１１６ｄ（第４のグリーンシート）の表面上に複数の引き出し導体層２０ａ，２０'ａ（第１の導体層）及び複数の引き出し導体層２０ｄ，２０'ｄ（第４の導体層）を行列状に並べて形成する。なお、引き出し導体層２０ａ，２０'ａ，２０ｄ，２０'ｄのマザーグリーンシート１１６ｄに対する形成工程は、引き出し導体層２０ａ，２０'ａ，２０ｄ，２０'ｄのマザーグリーンシート１１６ａに対する形成工程と同じであるので説明を省略する。
【００６３】
次に、マザーグリーンシート１１６ａ〜１１６ｄをｚ軸方向の正方向側から負方向側へとこの順に積層する。以下に、マザーグリーンシート１１６ａ〜１１６ｄの積層工程について説明する。
【００６４】
具体的には、表面が下側を向くようにマザーグリーンシート１１６ａをセットする。そして、表面が下側を向くようにマザーグリーンシート１１６ｂをマザーグリーンシート１１６ａ上に積層する。
【００６５】
次に、表面が下側を向くようにマザーグリーンシート１１６ｃをマザーグリーンシート１１６ｂ上に積層する。この際、図１５に示す状態のマザーグリーンシート１１６ｃを、中心点Ｐを中心として１８０°だけ回転させてマザーグリーンシート１１６ｂ上に積層する。すなわち、マザーグリーンシート１１６ｂに関して中心点Ｐを中心として１８０°回転させたマザーグリーンシート１１６ｃをマザーグリーンシート１１６ｂ上に積層する。
【００６６】
次に、表面が下側を向くようにマザーグリーンシート１１６ｄをマザーグリーンシート１１６ｃ上に積層する。この際、図１６に示す状態のマザーグリーンシート１１６ｄを、中心点Ｐを中心として１８０°だけ回転させてマザーグリーンシート１１６ｃ上に積層する。すなわち、マザーグリーンシート１１６ａに関して中心点Ｐを中心として１８０°回転させたマザーグリーンシート１１６ｄをマザーグリーンシート１１６ｃ上に積層する。なお、マザーグリーンシート１１６ａのｚ軸方向の正方向側には、絶縁体層１６ａ〜１６ｃとなる３層のマザーグリーンシートが積層される。また、マザーグリーンシート１１６ｄのｚ軸方向の負方向側には、絶縁体層１６ｈ〜１６ｊとなる３層のマザーグリーンシートが積層される。ただし、これらのマザーグリーンシートの積層工程については、一般的な工程であるので説明を省略する。積層工程の最後には、マザーグリーンシート１１６ａ〜１１６ｄにより構成されるマザー積層体に対して静水圧プレスを施す。
【００６７】
次に、マザー積層体をカット刃により所定寸法の積層体１２にカットする。その後、未焼成の積層体１２に、脱バインダー処理及び焼成を施す。
【００６８】
次に、外部電極１４ａ〜１４ｄを形成する。まず、Ａｇを主成分とする導電性材料からなる電極ペーストを積層体１２の表面に塗布する。次に、塗布した電極ペーストを約８００℃の温度で１時間の条件で焼き付ける。これにより、外部電極１４ａ〜１４ｄの下地電極が形成される。
【００６９】
最後に、下地電極の表面にＮｉ／Ｓｎめっきを施す。これにより、外部電極１４ａ〜１４ｄが形成される。以上の工程により、電子部品１０が完成する。
【００７０】
（効果）
本実施形態に係る電子部品１０ａの製造方法によれば、電子部品１０ａの製造に用いられるマスクの種類を減らすことができる。より詳細には、電子部品１０ａの製造方法では、マザーグリーンシート１１６ａに引き出し導体層２０ａ，２０'ａ，２０ｄ，２０'ｄを形成するためのマスクと、マザーグリーンシート１１６ｄに引き出し導体層２０ａ，２０'ａ，２０ｄ，２０'ｄを形成するためのマスクとは、同じである。また、マザーグリーンシート１１６ｂに引き出し導体層２０ｂ，２０'ｂ，２０ｃ，２０'ｃ及びコイル導体層１８ａ，１８'ａ，１８ｂ，１８'ｂを形成するためのマスクと、マザーグリーンシート１１６ｃに引き出し導体層２０ｂ，２０'ｂ，２０ｃ，２０'ｃ及びコイル導体層１８ａ，１８'ａ，１８ｂ，１８'ｂを形成するためのマスクとは、同じである。したがって、電子部品１０ａの製造方法では、電子部品１０の製造方法と同様に、２種類のマスクにより、電子部品１０ａを製造することができる。
【００７１】
（その他の実施形態）
なお、本発明に係る電子部品の製造方法は、前記電子部品１０，１０ａの製造方法に限らず、その要旨の範囲内において変更可能である。
【００７２】
なお、電子部品１０，１０ａは、コモンモードチョークコイルとして用いられるとしたが、他の回路素子として用いられてもよい。また、電子部品１０，１０ａは、コイル以外の回路素子を内蔵していてもよい。
【産業上の利用可能性】
【００７３】
以上のように、本発明は、電子部品の製造方法に有用であり、特に、電子部品の製造に用いられるマスクの種類を減らすことができる点において優れている。
【符号の説明】
【００７４】
Ｇ グループ
Ｌ１，Ｌ２  コイル
１０，１０ａ  電子部品
１２  積層体
１４ａ〜１４ｄ  外部電極
１６ａ〜１６ｊ  絶縁体層
１８ａ，１８ｂ，１８'ａ，１８'ｂ  コイル導体層
２０ａ〜２０ｄ，２０'ａ〜２０'ｄ  引き出し導体層
１１６ａ〜１１６ｌ  マザーグリーンシート
【図１】
2014187106.tif 000003
【図２】
2014187106.tif 000004
【図３】
2014187106.tif 000005
【図４】
2014187106.tif 000006
【図５】
2014187106.tif 000007
【図６】
2014187106.tif 000008
【図７】
2014187106.tif 000009
【図８】
2014187106.tif 000010
【図９】
2014187106.tif 000011
【図１０】
2014187106.tif 000012
【図１１】
2014187106.tif 000013
【図１２】
2014187106.tif 000014
【図１３】
2014187106.tif 000015
【図１４】
2014187106.tif 000016
【図１５】
2014187106.tif 000017
【図１６】
2014187106.tif 000018
【手続補正書】
【提出日】平成26年2月28日(2014.2.28)
【手続補正１】
【補正対象書類名】明細書
【補正対象項目名】００４８
【補正方法】変更
【補正の内容】
【００４８】
次に電子部品１０ａの製造方法について図面を参照しながら説明する。図１２は、マザーグリーンシート１１６ａ〜１１６ｄが積層される様子を示した斜視図である。図１３は、電子部品１０ａの製造方法において用いられるマザーグリーンシート１１６ａを平面視した図である。図１４は、電子部品１０ａの製造方法において用いられるマザーグリーンシート１１６ｂを平面視した図である。図１５は、電子部品１０ａの製造方法において用いられるマザーグリーンシート１１６ｃを平面視した図である。図１６は、電子部品１０ａの製造方法において用いられるマザーグリーンシート１１６ｄを平面視した図である。
【手続補正２】
【補正対象書類名】明細書
【補正対象項目名】００５０
【補正方法】変更
【補正の内容】
【００５０】
まず、マザーグリーンシート１１６ａ〜１１６ｄを準備する。マザーグリーンシート１１６ａ，１１６ｄは、絶縁体層１６ｄ，１６'ｄ，１６ｇ，１６'ｇが４行４列の行列状に配置された未焼成のシートである。マザーグリーンシート１１６ｂ，１１６ｃは、絶縁体層１６ｅ，１６'ｅ，１６ｆ，１６'ｆが４行４列の行列状に配置された未焼成のシートである。